(57)【特許請求の範囲】
【請求項１】
翼であって、
インボード部と、
アウトボード部と、
当該翼の前記アウトボード部に配置された第１のチャネルと、
当該翼の前記インボード部に配置された第２のチャネルと、
前記第１のチャネルの軸線に沿って配置された第１の推進器と、
前記第２のチャネルの軸線に沿って配置された第２の推進器と、
制御面と、を具備する翼であって、
前記第１の推進器及び前記第２の推進器の一方が当該翼の後縁の近くに配置されると共に、前記第１の推進器及び前記第２の推進器の他方が当該翼の前縁に向かってそれぞれの前記軸線上で前方にオフセットされ、
前記制御面が前方にオフセットされた前記推進器の前記チャネル内に配置されると共に、前方にオフセットされた前記推進器から下流に配置された、翼。
【請求項２】
前記第１の推進器が前方にオフセットされた前記推進器であり、前記制御面が前記第１のチャネル内に配置され、
前記制御面が補助翼である、請求項１に記載の翼。
【請求項３】
前記インボード部及び前記アウトボード部が、当該翼の翼幅に沿って隣接して配置され、
当該翼は、折りたたまれた構成において前記アウトボード部が前記インボード部の上で収納されるように、前記第１のチャネルと前記第２のチャネルとの間に配置された翼弦軸線周りに折りたたむように構成された、請求項１に記載の翼。
【請求項４】
前記折りたたまれた構成のときに、前記第１のチャネル及び前記第２のチャネルが筒を形成し、
前記折りたたまれた構成のときに、前記第１の推進器、前記第２の推進器及び前記制御面が、全て前記筒内に配置される、請求項３に記載の翼。
【請求項５】
折りたたまれた前記インボード部及び前記アウトボード部が、当該翼の根元近くの略鉛直な軸線周りに一体として枢動するように構成された、請求項４に記載の翼。
【請求項６】
吹き出しチャネル循環制御翼（ＣＣＷ）システムを更に具備する、請求項１に記載の翼。
【請求項７】
前記吹き出しチャネル循環制御翼（ＣＣＷ）システムが、
前縁給気プレナム及び少なくとも１つの前縁スロットを有し、
前記前縁給気プレナムが、前記少なくとも１つの前縁スロットに加圧された空気を供給するように構成され、
前記少なくとも１つの前縁スロットが、前記加圧された空気を当該翼の上面に吐出するように構成された、請求項６に記載の翼。
【請求項８】
前記吹き出しチャネル循環制御翼（ＣＣＷ）システムが、
後縁給気プレナム及び少なくとも１つの後縁スロットを更に有し、
前記後縁給気プレナムが、前記少なくとも１つの後縁スロットに加圧された空気を供給するように構成され、
前記少なくとも１つの後縁スロットが、当該翼の前記後縁の下流に前記加圧された空気を吐出するように構成された、請求項７に記載の翼。
【請求項９】
前記吹き出しチャネル循環制御翼（ＣＣＷ）システムが、
後縁給気プレナム及び少なくとも１つの後縁スロットを更に有し、
前記後縁給気プレナムが、前記少なくとも１つの後縁スロットに加圧された空気を供給するように構成され、
前記少なくとも１つの後縁スロットが、当該翼の前記後縁の下流に前記加圧された空気を吐出するように構成された、請求項６に記載の翼。
【請求項１０】
前記第１の推進器及び前記第２の推進器がプロペラをそれぞれ有する、請求項１に記載の翼。
【請求項１１】
少なくとも１つの請求項１に記載の翼を具備する、エアロカー。
【請求項１２】
二重チャネル翼であって、
インボードチャネル区分と、
アウトボードチャネル区分と、
前記アウトボードチャネル区分の軸線に沿って配置された第１のプロペラと、
前記第１のプロペラのアウトボードチャネル内であって前記第１のプロペラの下流に配置された制御面と、
を具備し、
前記インボードチャネル区分及び前記アウトボードチャネル区分が、当該二重チャネル翼の翼幅に沿って隣接して配置され、
当該二重チャネル翼は、前記アウトボードチャネル区分が前記インボードチャネル区分の上で収納されるように前記インボードチャネル区分と前記アウトボードチャネル区分との間に配置された翼弦軸線周りに折りたたむように構成された、二重チャネル翼。
【請求項１３】
前記インボードチャネル区分の軸線に沿って配置された第２のプロペラを更に具備し、
前記制御面は、補助翼を更に有し、
前記第１のプロペラ及び前記第２のプロペラの一方が当該二重チャネル翼の後縁側に配置されると共に、前記第１のプロペラ及び前記第２のプロペラの他方がそれぞれの軸線上で当該二重チャネル翼の前縁側へと前方にオフセットされ、
前記補助翼が、前方にオフセットされた前記プロペラのチャネル内に配置されると共に前方にオフセットされた前記プロペラの下流に配置された、請求項１２に記載の二重チャネル翼。
【請求項１４】
エアロカーであって、
機体と、
少なくとも１つの請求項１３に記載の二重チャネル翼と、を具備し、
少なくとも１つの前記二重チャネル翼が、前記機体に接続された、エアロカー。
【請求項１５】
折りたたまれた前記インボードチャネル区分及び前記アウトボードチャネル区分が、前記機体の略幅寸法内に収納されるように、少なくとも１つの前記二重チャネル翼の根元近くの略鉛直な軸線周りに一体として枢動するように構成された、請求項１４に記載のエアロカー。
【請求項１６】
吹き出しチャネル循環制御翼（ＣＣＷ）システムを更に具備し、
該吹き出しチャネル循環制御翼（ＣＣＷ）システムが、
前縁給気プレナム、及び、
少なくとも１つの前縁スロットを有し、
前記前縁給気プレナムが、前記少なくとも１つの前縁スロットに加圧された空気を供給するように構成され、
前記少なくとも１つの前縁スロットが、少なくとも１つの当該二重チャネル翼の上面上に前記加圧された空気を吐出するように構成された、請求項１２に記載の二重チャネル翼。
【請求項１７】
前記吹き出しチャネル循環制御翼（ＣＣＷ）システムが、
後縁給気プレナム、及び、
少なくとも１つの後縁スロットを更に具備し、
前記後縁給気プレナムが、前記少なくとも１つの後縁スロットに加圧された空気を供給するように構成され、
前記少なくとも１つの後縁スロットが、少なくとも１つの当該二重チャネル翼の後縁の下流に前記加圧された空気を吐出するように構成された、請求項１６に記載の二重チャネル翼。
【請求項１８】
吹き出しチャネル循環制御翼（ＣＣＷ）システムを更に具備し、
該吹き出しチャネル循環制御翼（ＣＣＷ）システムが、
後縁給気プレナム、及び、
少なくとも１つの後縁スロットを更に有し、
前記後縁給気プレナムが、前記少なくとも１つの後縁スロットに加圧された空気を供給するように構成され、
前記少なくとも１つの後縁スロットが、少なくとも１つの当該二重チャネル翼の後縁の下流に前記加圧された空気を吐出するように構成された、請求項１２に記載の二重チャネル翼。
【請求項１９】
エアロカーの少なくとも１つの二重チャネル翼を収納及び展開する方法であって、当該方法は、
機体、及び、
少なくとも１つの二重チャネル翼、
を有する航空機を設けることであって、
前記少なくとも１つの二重チャネル翼が、
インボードチャネル区分と、
アウトボードチャネル区分と、
前記アウトボードチャネル区分の軸線に沿って配置された第１のプロペラと、
前記第１のプロペラのアウトボードチャネル内であって前記第１のプロペラの下流に配置された制御面とを有し、
前記インボードチャネル区分及び前記アウトボードチャネル区分が前記少なくとも１つの二重チャネル翼の翼幅に沿って隣接して配置され、
前記少なくとも１つの二重チャネル翼は、前記アウトボードチャネル区分が前記インボードチャネル区分の上で収納されるように、翼弦軸線周りに折りたたむように構成される、
航空機を設けることと、
前記アウトボードチャネル区分及び前記インボードチャネル区分を収納された状態へと配置するため前記アウトボードチャネル区分が前記インボードチャネル区分の上で収納されるように、前記アウトボードチャネル区分を前記翼弦軸線周りに揺動させることと、
前記アウトボードチャネル区分及び前記インボードチャネル区分を展開された状態へと配置するため前記アウトボードチャネル区分及び前記インボードチャネル区分が展開され且つ隣接して配置されるように、前記収納された状態から前記アウトボードチャネル区分を前記翼弦軸線周りに揺動させることと、を含む方法。
【請求項２０】
前記インボードチャネル区分及び前記アウトボードチャネル区分は、折りたたまれたときに前記少なくとも１つの二重チャネル翼の根元近くの略鉛直な軸線周りに一体として枢動するように構成され、当該方法が、
前記少なくとも１つの二重チャネル翼を収納された状態へと配置するため前記少なくとも１つの二重チャネル翼が前記機体の略幅寸法内に配置されるように、折りたたまれた前記インボードチャネル区分及びアウトボードチャネル区分を前記略鉛直な軸線周りに一体として枢動させることと、
前記インボードチャネル区分及び前記アウトボードチャネル区分を展開された状態へと展開する前に、収納された前記少なくとも１つの二重チャネル翼を前記機体の前記略幅寸法内から前記略鉛直な軸線周りに枢動させることと、を更に含む、請求項１９に記載の二重チャネル翼を収納及び展開する方法。
【発明の詳細な説明】
【技術分野】
【０００１】
本開示は、固定翼航空機として飛行することができ、かつ陸上の乗り物として走行することができる乗り物に関し、より詳細には、そのためのチャネル翼の構造に関する。
【背景技術】
【０００２】
飛行は、人類の歴史において、常に夢の中心であった。エアロカー、すなわち路面走行可能な航空機は、路上を走行し得ると同時に、航空機として離陸し、飛行し、及び着陸し得る乗り物として定義される。そのような性能を示す乗り物は、移動性が、私的かつ個人的であることを維持しつつ３次元になるため、運転者に、自由、快適さ、及び目的地に素早く到達する能力を提供する。しかしながら、そのような乗り物においては、飛行モード及び路面走行モードにおける操作を可能にするために、種々のトレードオフが要求され得る。
【発明の概要】
【発明が解決しようとする課題】
【０００３】
一般に、陸上の乗り物の車体は、駐車及び路上での機動性を促進するために比較的短いが、航空機の機体は、飛行安定性及び操縦確実性（ｃｏｎｔｒｏｌ  ａｕｔｈｏｒｉｔｙ）を促進するために、比較的長い。１つの従来の路面走行可能な航空機では、陸上モードにおいて、各翼は、根元で上向きに折りたたまれ、翼の中ほどの位置で下向きに折りたたまれて、機体に対して収納される（stow）。効率的ではあるものの、折りたたむ位置の数が増えるほど重量及び複雑さは増し、必然的に、各モードにおける操作性に影響を与える。さらに、そのような翼の収納は、路面走行モードにおける効率的な操作に資する、運転者の後方及び側方の視野を、制限する場合がある。
【課題を解決するための手段】
【０００４】
翼を含むエアロカー及び前記翼の収納及び展開方法が開示される。前記翼は、インボードチャネル又は内側溝（inboard channel）、及び、アウトボードチャネル又は外側溝（outboard channel）の、２つのチャネルを含み得る。前記翼は、路面走行モードにおいて、翼弦軸線（chord axis）を中心に前記アウトボードチャネルを折りたたむことにより、前記アウトボードチャネルを前記インボードチャネルの上に収納し、並びに前記インボードチャネル及び前記アウトボードチャネルの組み合わせを、翼軸線を中心に折りたたんで前記翼全体を収納することにより、エアロカーの内部に、又はエアロカー沿って収納することができる。前記翼は、飛行モードにおいて折りたたみのプロセスを逆に行うことにより、展開することができる。
【０００５】
本開示の１つの開示される非限定的実施形態に係る翼は、インボードチャネルから翼幅方向（spanwise）に延びるアウトボードチャネルを有する、二重チャネル翼を含む。
【０００６】
本開示の別の開示される非限定的実施形態に係るエアロカーは、インボードチャネルから翼幅方向に延びるアウトボードチャネルを有する二重チャネル翼（dual channel wing）であって、前記アウトボードチャネルが前記アウトボード軸線の周りに画定され、及び前記インボードチャネルがインボード軸線の周りに画定される、二重チャネル翼；前記アウトボード軸線に沿ったアウトボード推進器；並びに、前記インボード軸線に沿ったインボード推進器；を含む。
【０００７】
本開示の別の開示される非限定的実施形態に係る翼の収納及び展開方法は、アウトボードチャネルがインボードチャネルの上に収納されるように、前記アウトボードチャネルを、翼弦軸線を中心に揺動させること（swinging）；並びに、前記翼が収納された路面走行モード及び展開された飛行モードの間で折りたたみ可能なように、前記翼を、翼軸線を中心に揺動させること；を含む。
【０００８】
明確に別途示されない限り、前述の特徴及び要素は、非排他的に、種々の組み合わせで組み合わせることができる。これらの特徴及び要素並びにそれらの操作は、以下の記載及び添付される図面に照らして、より明確となるであろう。しかしながら、以下の記載及び図面は、本質的に例示として意図され、限定することを意図してはいないということが、理解されるべきである。
【０００９】
開示される非限定的実施形態の、以下の詳細な説明から、当業者には、種々の特徴が明らかになるであろう。その詳細な説明に付随する図面を簡単に説明すると、以下の通りである。
【図面の簡単な説明】
【００１０】
【図１】１つの開示される非限定的実施形態に係る、チャネル翼を有するエアロカーの、飛行モードにおける、概略斜視図である。
【図２】路面走行モードにおける、図１のエアロカーの概略斜視図である。
【図３】飛行モードにおける、図１のエアロカーの概略正面図ある。
【図４】飛行モード及び路面走行モード間の、チャネル翼が部分的に折りたたまれた状態の、図１のエアロカーの概略斜視図である。
【図５】別の開示される非限定的実施形態に係る、図１のエアロカーで使用するための吹き出しチャネル循環制御翼（ＣＣＷ）の概略断面図である。
【図６】飛行モードにおける図１のエアロカーの概略側面図である。
【図７】別の開示される非限定的実施形態に係る、内燃機関ベースの動力システムを有する図１のエアロカーの概略上面図である。
【図８】別の開示される非限定的実施形態に係る、ガスタービンエンジン動力システムを有する図１のエアロカーの概略上面図である。
【発明を実施するための形態】
【００１１】
図１は、飛行モード（図１）及び路面走行モード（図２）で操作可能な乗り物２０を模式的に例示した図である。乗り物２０は一般的に、少なくとも１つの操縦可能な車輪２４Ａ及び少なくとも１つの駆動輪２４Ｂを含む複数の車輪２４を有する車体２２、動力システム２６、推進システム２８、先尾翼３０、尾翼３２及び翼システム３４を含む。特定のシステム及びサブシステムが個々に定義されているが、サブシステムのそれぞれ又そのうちのいずれかを組み合わせるか、又は分離し得るということが理解されるべきである。
【００１２】
車体２２には、運転者、乗客及び貨物のための座席が設けられている。車体２２は、路面走行モード（図２）における操作のために、複数の車輪２４上に支持される。先尾翼３０、尾翼３２及び翼システム３４は、路面走行モードの際に、目立たずかつスタイリッシュであり、運転者の側方及び後方への視野も妨げない設計の可能性を促進するために、車体２２内部に容易に収納可能である。１つの例においては、幅が約６フィート（約１８２．８８ｃｍ）、離陸全備重量が３２００ポンド（約１４５１．５０ｋｇ）である車体２２に対して、約１８フィート（約５４８．６４ｃｍ）の翼幅が提供される。開示される非限定的実施形態においては、特定の構成及び形状で描写されているが、本明細書に記載される概念は、例示されるこれらのものにのみ限定されるものではないことが理解されるべきである。
【００１３】
開示される非限定的実施形態における１対の先尾翼３０は、操縦可能な車輪２４Ａそれぞれの前方に位置する。各先尾翼３０は、乗り物２０の縦操縦及び横操縦を容易にするために、それぞれの軸線Ｃを中心に傾斜する全可動面であってもよい。各先尾翼３０は、車体２２内部に少なくとも部分的に収納されるために（図２）、軸線ＣＳ（図３）を中心に回転可能である。この開示される非限定的実施形態において、各先尾翼３０は、収納された路面走行モード及び展開された飛行モードの間で、軸線ＣＳを中心に約１３５度の回転距離で回転可能である。例えばスライド式、伸縮式、又は他の配置などの他の収納配置もまた、本開示により利益を受けるということが理解されるべきである。
【００１４】
尾翼３２は一般的に、間に昇降舵４０を挟んで、左舷及び右舷垂直安定板３６、３８を含む。開示される非限定的実施形態において、垂直安定板（vertical stabilizers）３６、３８は、それぞれ、方向操縦を容易にするための方向舵４２、４４を含む。昇降舵４０は、乗り物２０の縦操縦を容易にするために、軸線Ｅを中心に傾斜する全可動面であってもよい。
【００１５】
尾翼３２は、路面走行モードにおける、車体２２内部への収納のために、軸線ＥＳを中心に回転可能である。尾翼３２が車体２２内に向かって回転すると、昇降舵４０は、車体２２内への、少なくとも部分的な収納を可能にするために、その軸線Ｅを中心に傾斜し得る。すなわち、昇降舵４０は、車体２２に対して、実質的に平らになるように傾斜し（pitched）得る。あるいは、昇降舵４０は、乗り物２０が路面走行モードにあるとき、スポイラーとして機能し得るように配置されてもよい。例えばスライド式配置などの他の収納配置もまた、本開示により利益を受けるということが理解されるべきである。
【００１６】
動力システム２６は、路面走行モードにおいては駆動輪２４Ｂに、及び飛行モードにおいては推進システム２８に、選択的に動力を提供するように機能する。種々の前輪駆動、後輪駆動及び全輪駆動が、本開示により利益を受けるということが理解されるべきである。動力システム２６は、内燃装置、ガスタービン装置、ハイブリッド電気装置、燃料電池装置、及び他のエネルギー変換装置を含む、種々の形態であり得るが、これらに限定されるものではない。
【００１７】
１つの開示される非限定的実施形態において、翼トルク箱構造（wing torque box structure）４６は、車体２２および翼システム３４に対する支持を提供するために、乗員室４８の後方に位置する。翼トルク箱構造４６は、一般に乗り物２０の重心位置（ＣＧ）に位置し、さらに燃料を備蓄するための燃料タンクとして機能し得る。１つの例において、２１０リットル（５５ガロン）の燃料がその中に容易に備蓄される。ＣＧに位置することにより、燃料量の変化は、乗り物２０に対して最小の影響しか及ぼさず、例として約４７５マイル（約７６４．２７ｋｍ）、４５分間の範囲の予備保持量を提供する。
【００１８】
開示される非限定的実施形態における翼システム３４は、左舷翼５０及び右舷翼５２を含み、そのそれぞれがインボードチャネル５４及びアウトボードチャネル５６を有する二重チャネル翼である。インボードチャネル５４は、インボード軸線ＩＰの周りに画定され、アウトボードチャネル５６は、アウトボード軸線ＯＰの周りに画定される。左舷翼５０及び右舷翼５２は、アウトボードチャネル５６が、インボードチャネル５４から翼幅方向に延びるように、軸線ＷＳを中心にして翼トルク箱構造４６に取り付けられている。
【００１９】
この開示される非限定的実施形態において、アウトボードチャネル５６は、アウトボードチャネル５６がインボードチャネル５４の上に収納されるように、翼弦軸線Ｗを中心に約１８０度揺動する（図４）。すなわち、アウトボードチャネル５６は、インボードチャネル５４の上に収納され、実質的に、概ねコンパクトな円筒形状を形成する。各翼５０、５２もまた、車体２２内部に収納される路面走行モード及び展開された飛行モードの間で、折りたためるように、翼軸線ＷＳを中心に、１８０度揺動する。翼軸線ＷＳは、翼弦軸線Ｗに対して垂直であってもよく、又は、アウトボードチャネル５６がインボードチャネル５４の上に収納されて実質上円筒形状を形成し、ついで該円筒が翼弦軸線Ｗを中心に揺動して車体２２内部に収納されるように、小さなねじり変位を与えてもよい。例えばスライド式配置などの他の収納配置もまた、本開示により利益を受けるということが理解されるべきである。また、路面走行モードにける、目立たずかつスタイリッシュな設計の可能性、及び飛行モードにおける、空気力学的に滑らかな面を可能にするために、種々の扉（図示せず）が設けられていてもよいということが理解されるべきである。
【００２０】
各翼５０、５２のインボードチャネル５４及びアウトボードチャネル５６は、推進システム２８の推進器６０、６２を支持するそれぞれの支柱５８を含む。推進器６０、６２を支持するそれぞれの支柱５８は、傾斜が固定されていてもよく、又は推力偏向を容易にするために、ティルトローター機能を提供し得るということが、理解されるべきである。各推進器６０、６２は、それぞれインボード軸線ＩＰ及びアウトボード軸線ＯＰに沿って位置する、推進プロペラ、オープンローター、プロップローター、ターボファン又は他の推力発生システムを含み得る。１つの例においては、例えば電気モーターで駆動されるプロペラなどの、各推進器６０、６２は、約５５ｈｐの推力を発生させる。
【００２１】
アウトボードチャネル５６がインボードチャネル５４の上に収納される際に障害とならないように、各推進器６０、６２を軸方向にオフセットすることができる。この開示される非限定的実施形態において、アウトボード推進器６２は、インボード推進器６０の軸方向前方に位置する。
【００２２】
各アウトボード推進器６２の後方には、乗り物２０の横操縦および縦操縦を容易にするために、補助翼６４が、アウトボードチャネル５６に渡って位置している。各補助翼６４は、乗り物２０の横操縦を容易にするために、軸線Ａを中心に傾斜する全可動面であってもよい。アウトボード推進器６２が、それぞれの補助翼６４の前方にあるため、横操縦はアウトボード推進器６２からの直接気流により増強され、ウェーク対応（ｗａｋｅ  ｅｎａｂｌｅｄ）の低速の横操縦および縦操縦を提供する。
【００２３】
推進器スリップストリームを使用することにより、翼システム３４は、高揚力形態幾何学を変化させることなく、有意な揚力係数及び効率的な下向きの推力偏向を提供する。このような高揚力形態は、小さな敷地や、ますます過密化する都市環境から運用される個人輸送、及び軍事輸送に付随する、数多くの利益を提供する、短距離離着陸（ＳＴＯＬ）又は垂直・短距離離着陸（ＶＳＴＯＬ）能力を促進する。
【００２４】
図５を参照すると、別の開示される非限定的実施形態において、翼５０、５２のそれぞれは、揚力をさらに増大させる吹き出しチャネル循環制御翼（ＣＣＷ）７０である。種々の循環制御翼／上面吹き出し（ＣＣＷ／ＵＳＢ）及び／又は境界層制御装置（ＢＬＣＳ）空気圧式システムもまた本開示により利益を受けるということが理解されるべきである。このような空気圧式チャネル翼システムによる揚力増強は、比較的小さい翼面積を可能にする（図６）。このような翼５０、５２の面積は、典型的な民間機の翼の面積の約３０％であり得るが、それでもなお、後縁フラップを有するこのような従来の翼の約３５０％から５００％、及びフラップの無い従来の翼と比較して最大９００％の、揚力増強を提供する。
【００２５】
吹き出しチャネルＣＣＷ７０は、一般的に、関連する前縁スロット７４に給気する（feeds）前縁給気プレナム７２、及び関連する後縁スロット７８に給気する後縁給気プレナム７６を含む。給気プレナム７２、７６は空気源システム８０に連結され、加圧された空気をスロット７４、７８から選択的に排気する。スロット７４、７８を介した加圧された空気の選択的な排気により、エアロカー、すなわち路面走行可能な航空機型の乗り物に一般に望まれるとおり、非常に低い飛行速度においても、乗り物２０のＳＴＯＬ、ＶＳＴＯＬ、方向操縦、横操縦、及び縦操縦の操縦性増強を促進することができる。
【００２６】
図７を参照すると、１つの開示される非限定的実施形態において、動力システム２６は、発電機９２に動力を供給する内燃機関９０を含む。内燃機関９０は、高所での動作を促進するスーパーチャージャー又はターボチャージャーであってもよい。発電機９２は、推進システム２８の推進器６０、６２を駆動する配電構造（ｅｌｅｃｔｒｉｃ  ｄｉｓｔｒｉｂｕｔｅｄ  ａｒｃｈｉｔｅｃｔｕｒｅ）に電力を提供する。例えば左舷及び右舷垂直安定板３６、３８内に位置する電池システム９４は、電力の貯蔵を提供し、効率的な路面走行及び飛行操作、ならびにエンジン出力低下状態において操縦システムに動力を供給するための発電機９２のフェイルセーフ動作を、さらに促進する。１つの例においては、約２７５ｈｐの能力を有する内燃機関９０は、発電機９２に動力を供給して、クルーズ時に推進器６０、６２に連続的に動力を供給すると同時に、約２３ｋＷｈの、例示される電池システム９４を再充電する。
【００２７】
内燃機関９０は、シャフト９６を介して駆動輪２４Ｂに動力を供給することができ、かつ空気源システム８０にも動力を供給し得る。空気源システム８０は、乗員室４８に空気調節を提供し、かつ吹き出しチャネルＣＣＷ７０に高圧空気を提供するための、１つ又は複数のコンプレッサーを含んでいてもよい。
【００２８】
図８を参照すると、別の開示される非限定的実施形態における動力システム２６は、ガスタービンエンジン１００及び発電機１０２を含む。ガスタービンエンジン１００は抽気（bleed air）を提供し、それにより直接的に吹き出しチャネルＣＣＷ７０に供給することができ、それによって内燃機関を有する実施形態と比較して、コンプレッサーの数を低減させ得る。空気源システム８０は、乗員室４８に空気調節を提供し、かつ、例えば、エンジン出力低下状態が発生して抽気が利用できなくなった場合には、吹き出しチャネルＣＣＷ７０に高圧空気のフェイルセーフ供給を提供するための、１つ又は複数のコンプレッサーをさらに含んでいてもよい。
【００２９】
全体として、翼システム３４は、デュアルモード移行のための翼／車体統合を促進する翼面積の低減を生み出し、クルーズに必要とされる動力を低減させ、かつ、よりコンパクトな翼はより大型の翼に比べて突風に対してより低感度であるため、乗り心地を改善する。
【００３０】
例えば「前方（ｆｏｒｗａｒｄ）」「後方（ａｆｔ）」「上部の（ｕｐｐｅｒ）」「下部の（ｌｏｗｅｒ）」「の上（ａｂｏｖｅ）」「の下（ｂｅｌｏｗ）」等の、相対的な位置を表す用語は、乗り物の通常の操作姿勢を基準にしたものであり、限定するものと考慮されるべきではないということが、理解されるべきである。
【００３１】
異なる非限定的実施形態が、特定の例示される要素を有するが、本発明の実施形態はこれらの特定の組み合わせに限定されない。非限定的実施形態のうちのいずれかからの構成要素又は特徴のうちのいくつかを、他の非限定的実施形態のうちのいずれかからの特徴又は構成要素と組み合わせて使用することが可能である。
【００３２】
複数の図面に渡って、同様の参照番号が、対応するか又は類似する要素を特定するということが理解されるべきである。また、特定の構成要素の配置が例示される実施形態において開示されているが、他の配置もまた、本開示により利益を受けるということが理解されるべきである。
【００３３】
特定の工程の順番が示され、説明され、及び請求されているが、特に指示がない限り、各工程は、あらゆる順番で、個々に、又は組み合わせて実施してもよく、それでもなお本開示から利益を受けるということが、理解されるべきである。
【００３４】
前述の記載は、制限するためのものではなく、例示的なものである。種々の非限定的実施形態が本明細書に開示されているが、当業者は、上述される教示に照らして、種々の改変及び変形が、添付される請求の範囲の範囲内に含まれるということを認識するであろう。したがって、添付される請求の範囲の範囲内で、具体的に記載される以外の様式で、本開示を実践し得るということが理解される。それゆえ、本発明の真の範囲及び内容を判断するためには、添付される請求の範囲が検討されるべきである。
【符号の説明】
【００３５】
２０    乗り物
２８    推進システム
５４    インボードチャネル
５６    アウトボードチャネル
６０    インボード推進器
６２    アウトボード推進器
【図１】
0006039714.tif 000002
【図２】
0006039714.tif 000003
【図３】
0006039714.tif 000004
【図４】
0006039714.tif 000005
【図５】
0006039714.tif 000006
【図６】
0006039714.tif 000007
【図７】
0006039714.tif 000008
【図８】
0006039714.tif 000009